(57)【要約】【課題】板材の保持装置の構造を提供する。【解決手段】  主に台座、接着フィルム及び駆動機構を含む板材の保持装置の構造であり、保持装置は台座に通気性を具有する作業台を設け、且つ作業台に接着フィルムを設置する。また、接着フィルムは可動式であり、交換することができる。接着フィルムの表面中央位置に定位エリアを設け、プリセット板材を貼り付けて定位することができる。更に作業台の下方に中空状の作業スペースを形成し、作業台の作業スペースの下方に駆動機構を設置し、駆動機構の駆動ユニットは移動台が作業スペースの下方にて縦方向に昇降変位できるよう駆動する。移動台を通じて作業台の底部に近づくことで、作業台及び接着フィルムは真空状態を呈してプリセット板材を吸着し、それによりプリセット板材が安定して接着フィルムの表面に定位する目的に達する。更にプリセット板材に対して、表面の保護フィルムを剥離する作業を行うことができる。【選択図】図３
2019016779.tif 000002
【特許請求の範囲】
【請求項１】
台座、接着フィルム及び駆動機構を含み、
該台座に通気性を具有する作業台を設け、作業台の上に可動式の接着フィルムを設置し、接着フィルムの表面に、プリセットの板材を貼り付けて定位する定位エリアを設け、且つ、作業台の下方に中空状の作業スペースを形成し、及び、
該駆動機構は台座の作業台の作業スペースの下方に設置し、作業スペースの下方に位置して縦方向に変位し、作業台及び接着フィルムが真空状態でプリセット板材を吸着できる移動台を設け、移動台の下方は移動台を作業スペースの下方にて縦方向に変位するのを駆動する駆動ユニットを連設することを特徴とする板材の保持装置の構造。
【請求項２】
前記台座に含まれるのは中空状のフレーム、フレームの頂部に定位して通気性を具有する作業台及び、フレームの下方に定位する弾性薄膜であり、作業台の下方及び弾性薄膜の上方にあるフレームの内部に、中空状の作業スペースを形成することで、駆動機構の移動台が縦方向に昇降して弾性薄膜を抵触して作業スペースを進出することを特徴とする請求項１記載の板材の保持装置の構造。
【請求項３】
前記作業台は網プレート或いは複数の穴を具有するプレート本体とし、作業台に可動式の接着フィルムを設置し、表面の中央位置に全体面積より小さい定位エリアを設け、且つ、定位エリアは通気効果を具有する複数の気孔を設け、定位エリアの周辺は通気しない結合エリアを形成し、定位エリアの長さ幅のサイズは、プリセット板材の長さと幅のサイズと同じ或いは小さいことを特徴とする請求項１記載の板材の保持装置の構造。
【請求項４】
前記台座は中空状のフレームを含み、作業台下方とフレーム内部は中空状の作業スペースを形成することで、駆動機構の駆動ユニットが作業台を縦方向に昇降して作業スペースを進出し、作業台の底面に近づく或いは遠ざかるのを駆動することを特徴とする請求項１記載の板材の保持装置の構造。
【請求項５】
前記駆動ユニットは、移動台を駆動して作業台の底面に貼合し、真空にする真空装置を設け、且つ、真空装置は駆動ユニット内部を突き抜ける真空ルートを設け、且つ、真空ルートの片側に、移動台内部に位置する真空エリアを連設することを特徴とする請求項４記載の板材の保持装置の構造。
【請求項６】
前記駆動機構の駆動ユニットは頂部に移動台を設け、それを作業台及び接着フィルムの定位エリアの下方と合わせ、移動台の長さ幅のサイズは、該定位エリアの長さ幅のサイズより大きい或いは同じとすることを特徴とする請求項１記載の板材の保持装置の構造。
【請求項７】
前記台座は作業台、接着フィルムの上方に剥離機構を設け、且つ、接着フィルムは定位エリアにて定位を保つプリセット板材の二つの表面はそれぞれ保護フィルムを設け、剥離機構はプリセット板材表面の保護フィルムを剥離取り除くための一対のグリッパーを設けることを特徴とする請求項１記載の板材の保持装置の構造。
【発明の詳細な説明】
【技術分野】
【０００１】
本発明は、一種の板材の保持装置に関し、特に様々なサイズの板材定位の保持装置を提供し、台座が作業台の上に交換できる接着フィルムを設置することを通じて、更に作業台の下方にある駆動ユニットを利用し、移動台を作業台の底面に近づくよう駆動し、接着フィルムに対して真空にする作業を行うことで、接着フィルムの表面がプリセットの板材を定位できる目的に達する板材の保持装置に関する。
【背景技術】
【０００２】
昨今製造産業は労働者不足の厳しい問題に直面している。製造産業は環境を汚染しやすく、エコ意識が高まる現在、従来の加工製造の作業パターンにも大きな影響を及ぼしている。労働者と環境などの要素に影響され、製造産業は人件費と経営コストなど全てが高くなる問題に直面した時、労働力が密集する加工産業を技術性密集に変換するプレッシャーが生じる。よって、業者は産業を海外に移転する、或いは外国人労働者を引き入れる方法で生産コストの値上がりのプレッシャーに対応している。また、或いは生産ラインのオートメーション化の技術及び治具補助加工の作業パターンを運用し、更に経営体質を改善すると同時に、製造コストを引き下げる。よって人力を減らし、製造時間を節約し、そして生産高を増やす目的に達することができる。
【０００３】
フラットディスプレー製作の技術が進歩するのにつれ、新世代の製品はいずれも軽く、薄く、可とう性或いは曲面の方向に向けて設計されている。その目的は、より精巧な電子製品、電気製品を消費者に提供するためである。よって、これらのディスプレーの組成構造の様々なフィルム、例えば液晶パネルの偏光子、反射防止フィルム、光学フィルム、タッチフィルム、或いは可とう性のアクティブマトリクス式有機ＥＬディスプレー（フレキシブルAMOLED）の構造の上下膜、機能フィルム、包装フィルム、保護フィルム、サポートフィルムなどもそれにより、より軽く、薄くなる傾向がある。それら様々な軽く、薄いフィルム類を該板材と結合して貼合したあと、板材に加工作業を行う際に運搬或いは移動する過程において、板材の表面を保護し、摩擦、傷つき或いはぶつかるなどにより傷跡や線状の模様が付くことで不良品になるのを防ぐことができ、板材表面が滑らか平らを保つ目的に達し、後続の加工処理過程を行う。
【０００４】
且つ、板材に加工作業を行う際、必ず板材を作業台に置く必要があり、そして真空吸引方法を通じて板材を定位付けした後、更に板材表面にある保護フィルムを剥がしてから、板材を加工処理する。しかし、真空吸引装置の作業台、真空吸引設備など全体の構造、装置は複雑であり、それにより加工コストが高くなる。
板材を真空吸引する作業台は、いずれも板材のサイズに合わせてデザインしており、異なるサイズの板材に対して定位付けを行う際は、必ず板材のサイズに合う作業台に交換しなければならず、再度新たに真空設備の設定、調整、規範などの作業を行ってから初めて板材を真空吸引定位付けすることができ、よって加工過程において、不便である。
更に加工過程の困難度を上げ、加工の進度を遅くならせ、生産高を上げることができず、実際作業を実施する際にも、多くの問題点がある。如何にして目下板材の定位を行う作業台、全体真空設備の複雑性による加工コストアップの問題の悩みを解決し、且つ、作業台は板材の異なるサイズに基づき交換を行い、その都度新たに設定、規範などを行う必要があるため、加工作業の遅れなどの欠点及び面倒などを鑑みて、更なる改善が必要であった。
【先行技術文献】
【特許文献】
【０００５】
【特許文献１】特開２０１３−５８４５８公報
【発明の概要】
【発明が解決しようとする課題】
【０００６】
本発明の主な目的は、該保持装置は台座に通気性を具有する作業台を設け、作業台の上に接着フィルムを設置し、且つ、接着フィルムは可動式を呈し、交換することができる。接着フィルムの表面中央位置に定位エリアを設け、それによりプリセット板材を貼り付けて定位することができる。更に作業台の下方に中空状の作業スペースを形成し、作業台の作業スペースの下方に駆動機構を設置し、駆動機構の駆動ユニットは、移動台が作業スペースの下方に縦方向に変位するのを駆動することで、移動台は作業台の底面に近づき、それにより作業台及び接着フィルムは真空状態を呈してプリセット板材を吸着し、よってプリセット板材は安定して接着フィルムの表面に定位を保つ目的に達する。更にプリセット板材に対して表面の保護フィルムを剥離する作業を行うことができる。
【０００７】
本発明の第２の目的は、該台座は中空状のフレーム、フレームの頂部に定位する作業台及びフレームの下方に定位する弾性薄膜を含む。作業台の下方と弾性薄膜の上方のフレームの内部で中空状の作業スペースを形成し、それにより駆動機構の移動台が縦方向に昇降して弾性薄膜を抵触して作業スペースを進出する及び作業台の底面に近づく。且つ、弾性薄膜は作業台の底面に貼合する。
該作業台は通気性を具有する網プレート或いは複数の穴を具有するプレート本体などである。作業台に設置する接着フィルムは可動式であり、交換をすることができる。
また、接着フィルムは表面中央位置に定位エリアを設け、定位エリアの長さ幅のサイズは、接着フィルムの全体の面積より小さい。且つ、定位エリアは複数の気孔を設けて通気効果を具有する。定位エリアの周辺は通気しない結合エリアを形成する。更に該定位エリアの長さ幅のサイズは、プリセット板材の長さ幅のサイズと同じ或いは小さい。
【０００８】
本発明の第３の目的は、該台座は中空状のフレームを含み、作業台下方とフレーム内部は中空状の作業スペースを形成することで、作業スペース下方に位置する駆動機構は、駆動ユニットを通じて、移動台が縦方向に昇降して作業スペースを進出して作業台の底面に近づいて貼合、或いは離れるのを駆動する。
駆動ユニットは、移動台を駆動して作業台の底面に貼合し、真空にする真空装置を設け、且つ、真空装置は真空エリアを連設する。真空エリアは移動台の内部に位置し、移動台を通じて作業台、接着フィルムに対して真空にする作業を行うことができる。
【０００９】
本発明の第４の目的は、該駆動機構の駆動ユニットの頂部に移動台を設置し、作業台、接着フィルムの定位エリアの下方に合わせている。移動台の長さ幅のサイズは、定位エリアの長さ幅のサイズより大きい或いは同じである。
【００１０】
本発明の第５の目的は、該台座は作業台、接着フィルムの上方に剥離機構を設ける。且つ、接着フィルムは定位エリアにて定位を保つプリセット板材の二つの表面に、それぞれ保護フィルムを貼り付ける。剥離機構のグリッパーはプリセット板材に対して表面の保護フィルムを剥離取り除くことができる。
【課題を解決するための手段】
【００１１】
上述の目的を解決するために、本発明は板材の保持装置の構造を提供するものである。本発明の第１の目的は、該保持装置は台座に通気性を具有する作業台を設け、作業台の上に接着フィルムを設置し、且つ、接着フィルムは可動式を呈し、交換することができる。接着フィルムの表面中央位置に定位エリアを設け、それによりプリセット板材を貼り付けて定位することができる。
更に作業台の下方に中空状の作業スペースを形成し、作業台の作業スペースの下方に駆動機構を設置し、駆動機構の駆動ユニットは、移動台が作業スペースの下方に縦方向に変位するのを駆動することで、移動台は作業台の底面に近づき、それにより作業台及び接着フィルムは真空状態を呈してプリセット板材を吸着し、よってプリセット板材は安定して接着フィルムの表面に定位を保つ目的に達する。
更にプリセット板材に対して表面の保護フィルムを剥離する作業を行うことができる。
【００１２】
本発明の第２の目的は、該台座は中空状のフレーム、フレームの頂部に定位する作業台及びフレームの下方に定位する弾性薄膜を含む。作業台の下方と弾性薄膜の上方のフレームの内部で中空状の作業スペースを形成し、それにより駆動機構の移動台が縦方向に昇降して弾性薄膜を抵触して作業スペースを進出する及び作業台の底面に近づく。且つ、弾性薄膜は作業台の底面に貼合する。
該作業台は通気性を具有する網プレート或いは複数の穴を具有するプレート本体などである。作業台に設置する接着フィルムは可動式であり、交換をすることができる。また、接着フィルムは表面中央位置に定位エリアを設け、定位エリアの長さ幅のサイズは、接着フィルムの全体の面積より小さい。
且つ、定位エリアは複数の気孔を設けて通気効果を具有する。定位エリアの周辺は通気しない結合エリアを形成する。更に該定位エリアの長さ幅のサイズは、プリセット板材の長さ幅のサイズと同じ或いは小さい。
【００１３】
本発明の第３の目的は、該台座は中空状のフレームを含み、作業台下方とフレーム内部は中空状の作業スペースを形成することで、作業スペース下方に位置する駆動機構は、駆動ユニットを通じて、移動台が縦方向に昇降して作業スペースを進出して作業台の底面に近づいて貼合、或いは離れるのを駆動する。駆動ユニットは、移動台を駆動して作業台の底面に貼合し、真空にする真空装置を設け、且つ、真空装置は真空エリアを連設する。真空エリアは移動台の内部に位置し、移動台を通じて作業台、接着フィルムに対して真空にする作業を行うことができる。
【００１４】
本発明の第４の目的は、該駆動機構の駆動ユニットの頂部に移動台を設置し、作業台、接着フィルムの定位エリアの下方に合わせている。移動台の長さ幅のサイズは、定位エリアの長さ幅のサイズより大きい或いは同じである。
【００１５】
本発明の第５の目的は、該台座は作業台、接着フィルムの上方に剥離機構を設ける。且つ、接着フィルムは定位エリアにて定位を保つプリセット板材の二つの表面に、それぞれ保護フィルムを貼り付ける。剥離機構のグリッパーはプリセット板材に対して表面の保護フィルムを剥離取り除くことができる。
【発明の効果】
【００１６】
本発明は異なるプリセット板材のサイズに合わせ、素早く接着フィルムを交換することができる。即ち、プリセット板材に対して定位を行い、新たに設定、規範を行う必要がない。
且つ、作業台は接着フィルムに合わせて、様々なサイズの板材に対して定位を行い、全体の構造、装置がシンプル、操作が便利、製造コストを下げ、経済効果に見合う。
【図面の簡単な説明】
【００１７】
【図１】本発明の俯瞰図である。
【図２】本発明の側面図である。
【図３】本発明の最良実施例の側面図である。
【図４】本発明の最良実施例における駆動機構作動時の側面図である。
【図５】本発明の最良実施例の駆動機構が元の位置に戻った後の側面図である。
【図６】本発明の最良実施例における板材保護フィルム剥離時の側面図である。
【図７】本発明の最良実施例における板材保護フィルム剥離後の側面図である。
【図８】本発明の別の実施例における板材定位の側面図である。
【図９】本発明の別の実施例における板材保護フィルム剥離時の側面図である。
【図１０】本発明の別の実施例における板材保護フィルム剥離後の側面図である。
【発明を実施するための形態】
【実施例１】
【００１８】
上記の目的及び効果に達成するため、以下に、本発明の実施の技術手段及び構造、実施方法など、図に基づき本発明の最良実施例の特徴及び機能を説明する。
【００１９】
図１、図２、図３に示すのは、本発明の俯瞰図、側面図、最良実施例の側面図である。図ではっきり分かるように、本発明の板材の保持装置は台座１、接着フィルム２及び駆動機構３を含む。
【００２０】
該台座１は中空状を呈すフレーム１１、フレーム１１の頂部に定位する作業台１２を含む。且つ、作業台１２の底面に中空状の作業スペース１２０を形成し、且つ、作業台１２の頂部の表面に可動式の接着フィルム２を設ける。
接着フィルム２の中央位置に定位エリア２１を設け、定位エリア２１に複数の気孔２１０を設け、それぞれ通気性の効果を具有する。また、定位エリア２１の周辺に結合エリア２２を形成し、該結合エリア２２は密閉して通気しない状態である。
【００２１】
該駆動機構３は駆動ユニット３１を具有し、駆動ユニット３１の頂部に移動台２１を設ける。
【００２２】
上記各部品を組み立てて応用する際、台座１の作業台１２の底部にある作業スペース１２０の下方に駆動機構３を設置し、駆動機構３の駆動ユニット３１は、移動台３２を作業スペース１２０において、縦方向に昇降変位するよう駆動し、移動台３２が作業台１２の底面に近づく或いは貼合させることで、作業台１２及び接着フィルム２を真空状況に形成する。即ち接着フィルム２の定位エリア２１にプリセットの板材４を置き、プリセットの板材４を接着フィルム２の上に定位させ、台座１、接着フィルム２及び駆動機構３によって本発明の板材保持装置を構成する。
【００２３】
該台座１はフレーム１１の頂部に作業台１２を固設し、該作業台１２は通気性を具有する網プレート或いは複数の通気孔を具有する板本体などとすることができる。作業台１２に可動式の接着フィルム２を設置することで、交換、置換を行うことができ、大変便利且つ、迅速であり、新たに真空定位の作業を設定、調整或いは規範する必要がなく、後続の作業過程を加速して進行する。
且つ、異なる接着フィルム２はそれぞれ表面中央の位置に異なるサイズの定位エリア２１を設け、各接着フィルム２の定位エリア２１の長さと幅のサイズ（Ｌ1ｘＷ1）は、全体面積の長さ幅のサイズ（ＬｘＷ）より小さい。異なるサイズのプリセット板材４に対して加工処理を行いたい場合、作業台１２にある接着フィルム２を素早く交換することで、接着フィルム２は対応するサイズのプリセット板材４に対応し、真空に接着フィルム２に吸着するため、定位を確実に保持して移動或いは変位などの問題が生じにくく、更に加工作業の処理過程を高め、製造コストを下げることで、経済効果に見合う。
更に、接着フィルム２の定位エリア２１に、プリセット板材４を置くことができ、定位エリア２１の長さと幅のサイズ（Ｌ1ｘＷ1）は、プリセット板材４の長さ幅のサイズと同じ或いは小さくすることができる。プリセット板材４は鏡、ガラス基板、液晶パネル、タッチパネル、アクリル板、ステンレス板、フレキシブルディスプレイFlexible Display）或いは有機発光素子パネル(ＯＬＥＤ)などとすることができる。
【００２４】
駆動機構３の駆動ユニット３１は空気圧シリンダー、油圧シリンダー、電動リフト台或いはコンビネーション気圧、油圧、電気効率の昇降台などとすることができ、駆動ユニット３１を通じて移動台３２を作業台１２底部の作業スペース１２０において、縦方向に変位するよう駆動することで、移動台３２は作業台１２の底面に近づく或いは貼合し、或いは遠ざかる。
【００２５】
図３、図４、図５、図６及び図７に示すのは、本発明の最良実施例の側面図、最良実施例の駆動機構作動時の側面図、最良実施例の駆動機構が元の位置に戻った後の側面図、最良実施例の板材保護フィルム剥離時の側面図、最良実施例の板材保護フィルム剥離後の側面図である。図ではっきり分かるように、本発明の板材の保持装置における該台座１のフレーム１１の下方に、弾性薄膜１３を設けることができる。
作業台１２の下方、弾性薄膜１３上方のフレーム１１内部に中空状の作業スペース１２０を形成することで、駆動機構３の移動台３２が縦方向に昇降する際に弾性薄膜１３を抵触して作業スペースを進出する。作業台１２、弾性薄膜１３の上方に剥離機構５を設ける。
【００２６】
実際に応用を実施する際、駆動機構３の駆動ユニット３１を通じて、移動台３２を縦方向に上昇して弾性薄膜１３を抵触し、作業台１２の底面に近づくよう駆動し、且つ、弾性薄膜１３を抵触して作業スペースに押し入れて作業台１２の底面に貼合する。作業台１２と接着フィルム２の間の気体を外側に排除してから、駆動ユニット３１が移動台３２を縦方向に下降するよう駆動して弾性薄膜１３から離れることで、弾性薄膜１３は作業台１２の底面に貼合する。接着フィルム２の定位エリア２１にプリセット板材４を置くことができ、プリセット板材４は定位エリア２１の間で吸着、定位し、真空の吸引状態を形成し、定位を保持する。
作業台１２の上方にある剥離機構５はグリッパー５１を利用し、プリセット板材４のサイドに沿って、保護フィルム４１を剥がし、プリセット板材４の表面を剥離する。プリセット板材４は接着剤フィルム２の定位エリア２１によってしっかり吸着されているため、剥離機構５が保護フィルム４１の剥離を行うとき、プリセット板材４は移動しない、変位しないことを確保し、且つ、スムーズに保護フィルム４１を剥離する作業を行うことができる。
よって台座１、接着フィルム２を利用してプリセット板材４を送り出し、後続の加工処理作業を行うことができる。
【実施例２】
【００２７】
図８、図９、図１０に示すのは、別の実施例の板材定位における側面図、別の実施例の板材保護フィルム剥離時における側面図、別の実施例の板材保護フィルム剥離後における側面図である。図ではっきり分かるように、本発明の板材の保持装置は、該台座１のフレーム１１の頂部に作業台１２を設ける。
作業台１２の下方とフレーム１１内部に中空状の作業スペース１２０を形成し、駆動機構３の駆動ユニット３１が移動台３２を縦方向に昇降し、作業スペース１２０を進出するよう駆動することができ、移動台３２は作業台１２の底面と貼合或いは遠ざかることができる。作業台１２の下方にある移動台３２の外側に、プリセット真空装置６を連設し、該プリセット真空装置６に真空ルート６１を移動台３２と連設し、且つ、移動台３２内部は真空エリア６２を形成して真空ルート６１と連通する。
【００２８】
作業台１２にある接着フィルム２の定位エリア２１にプリセット板材４を置き、更に駆動機構３の駆動ユニット３１を通じて、移動台３２を縦方向上昇に駆動し、それにより移動台３２が上昇して作業スペース１２０に進入し、且つ、作業台１２の底面に貼合する。且つ、プリセット真空装置６を利用し、真空ルート６１を経由して真空エリア６２、作業台１２、接着フィルム２の定位エリアを互いに抽出し、同時に真空処理を行うことで、プリセット板材４は定位エリア２１で吸着されて定位を保ち、作業台１２及び接着フィルム２上方にある剥離機構５が、グリッパー５１を利用し、プリセット板材４にある保護フィルム４１を剥離して取り除く。
且つ、プリセット板材４はプリセット真空装置６の真空吸引により、しっかりと接着フィルム２に定位する。剥離機構５が保護フィルム４１を剥離して取り除く際、プリセット板材４は移動或いは変位する状況が生じず、スムーズに保護フィルム４１を剥離する作業を完了することができる。更に台座１、接着フィルム２を利用して、プリセット板材４を送り出して、後続の加工処理作業を行う。
【００２９】
上記に述べるのは、本発明の最良実施例のみであり、本発明の範囲を制限するものではない。本発明の板材の保持装置は、台座１のフレーム１１の上に、通気性のある作業台１２を設け、更に作業台１２の上に接着フィルム２を設置する。且つ、接着フィルム２に定位エリア２１を設け、作業台１２の下方には中空状の作業スペース１２０を形成する。
また、作業スペース１２０の下方に駆動機構３を設置し、駆動機構３の駆動ユニット３１を通じて、移動台３２を作業スペース１２０において、縦方向の昇降変位するよう駆動することができ、それにより作業台１２及び接着フィルム２は真空状態を形成する。更に接着フィルム２の定位エリア２１の上にプリセット板材４を置くことで、プリセット板材４は接着フィルム２の上に吸着されて定位を保ち、且つ、剥離機構５を通じて、プリセット板材４の表面にある保護フィルム４１を剥離することで、プリセット板材４がしっかりと接着フィルム２の上で定位を保つ機能に達する。
作業台１２は通気性を具有し、それにより接着フィルム２が素早く組立結合、或いは交換を行うことができ、新たに真空定位の作業を設定、調整或いは規範する必要がなく、様々なサイズのプリセット４が接着フィルム２での定位を保ち、後続の保護フィルムを剥離取り除くなどの関連作業を行うのに便利となる実用効果がある。前記効果の構造、装置に達することができるものは、すべて本発明の範囲内とし、簡単な修正及び構造の変化を行っても本発明の重要な意義は失われず、本発明の範囲に含まれる。
【００３０】
本発明は主に板材に対する保持装置について設計するものである。台座のフレームに通気性のある作業台を設置し、作業台に接着フィルムを設け、且つ、作業台の底部にある作業スペースの下方に駆動機構を設ける。駆動ユニットを利用して移動台３２を作業スペース１２０の下方において、縦方向に昇降変位するよう駆動し、移動台３２が作業台１２の下方に近づく或いは貼合させることで、作業台１２及び接着フィルム２を真空状況に形成する。
接着フィルムの定位エリアは、プリセット板材を吸着することができ、プリセット板材は接着フィルムに吸着定位されることで、プリセットが接着フィルムに吸着されて定位を保ち、移動或いは変位などの状況が発生しにくいことが主な目的である。プリセット板材にある保護フィルムは剥離機構を通じて剥離して取り除き、且つ、作業台は通気性を具有し、それにより接着フィルムは素早く代わりのものに交換することができる。これは接着フィルムが如何なるサイズのプリセット板材に合わせて吸着し、定位を保つ効果を具有し、真空定位の作業を新たに設定、調整或いは規範することなく、実用性がある。
ただ、上述は本発明の最良実施例であるのみであり、本発明の範囲を制限するものではない。本技術に熟知する者は、固定構造の変更などの適当な変更および調整を行うことができ、これらの変更および調整を行っても本発明の重要な意義は失われず、本発明の範囲に含まれる。
【符号の説明】
【００３１】
１  台座
１１  フレーム
１２  作業台
１２０  作業スペース
１３  弾性薄膜
２  接着フィルム
２１  定位エリア
２１０  気孔
２２  結合エリア
３  駆動機構
３１  駆動ユニット
３２  移動台
４  板材
４１  保護フィルム
５  剥離機構
５１  グリッパー
６  真空装置
６１  真空ルート
６２  真空エリア
【図１】
2019016779.tif 000003
【図２】
2019016779.tif 000004
【図３】
2019016779.tif 000005
【図４】
2019016779.tif 000006
【図５】
2019016779.tif 000007
【図６】
2019016779.tif 000008
【図７】
2019016779.tif 000009
【図８】
2019016779.tif 000010
【図９】
2019016779.tif 000011
【図１０】
2019016779.tif 000012